(57)【要約】【課題】フレキシブル基板に発生する微小なクラックの進展又は微小なクラックの発生そのものを防止することができる照明装置及びそのフレキシブル基板を提供する。【解決手段】デジタルカメラ１の本体部２８に対して移動可能なストロボ発光部６と本体部２８のストロボ基板２０とを電気的に接続するためのフレキシブル基板２１は、その一端がストロボ発光部６と半田付される半田付部１０４、その他端がストロボ基板２０と接続されるコネクタ接続部１０５、半田付部１０４とコネクタ接続部１０５とを繋ぐ共に絶縁テープ２６が巻き付けられている連通部１０６、及び、連通部１０６においてその長手方向に配されるキセノン配線２１ｂ及びトリガー配線を夫々２本ずつ有する。連通部１０６において、２本のトリガー配線は、２本のキセノン配線２１ｂの間に配置される。また、絶縁テープ２６は半田付部１０４に延出する延出部２６ａを有する。【選択図】図５
2020112658.tif 000002
【特許請求の範囲】
【請求項１】
本体部と、前記本体部に対し移動可能なストロボ発光部と、前記本体部に設けられた発光制御部と、前記ストロボ発光部と前記発光制御部を電気的に接続するフレキシブル基板を有する照明装置であって、
前記ストロボ発光部はキセノン管と発光制御コイルを有し、
前記フレキシブル基板は、
その一端にストロボ発光部と半田付される半田付部、
その他端に前記発光制御部と接続される接続部、
前記半田付部と前記接続部とを繋ぐ連通部、及び、
前記連通部においてその長手方向に配される４つの配線を有し、
前記ストロボ発光部は、
前記キセノン管の両端にそれぞれ接続される２つのキセノン端子、及び、
前記発光制御コイルにそれぞれ接続される２つの発光制御端子が配置され、
前記４つの配線は、前記半田付部において、前記２つのキセノン端子及び前記２つの発光制御端子のうち、それぞれ異なる端子に半田付によって電気的に接続され、
前記連通部において、前記４つの配線のうち、前記２つの発光制御端子のそれぞれ異なる端子に電気的に接続された２本の第１の配線の間に、前記４つの配線のうち、前記２本のキセノン端子のそれぞれ異なる端子に電気的に接続された２本の第２の配線が配置されていることを特徴とする照明装置。
【請求項２】
前記連通部は、前記本体部に対し前記ストロボ発光部が移動する過程において、変形する部分であることを特徴とする請求項１記載の照明装置。
【請求項３】
前記半田付部には板状の補強部材が貼られており、
前記補強部材の前記連通部に面する境界において、前記２つの第１の配線の間に、前記２つの第２の配線が配置されていることを特徴とする請求項１又は２記載の照明装置。
【請求項４】
前記２つの第１の配線を流れる電流の大きさは、前記２つの第２の配線を流れる電流の大きさよりも小さいことを特徴とする請求項１乃至３のいずれか１項に記載の照明装置。
【請求項５】
前記２つの第１の配線の幅は、前記２つの第２の配線の幅よりも小さいことを特徴とする請求項１乃至４のいずれか１項に記載の照明装置。
【請求項６】
前記連通部の短手方向からみて、前記２つの発光制御端子は、前記２つのキセノン端子の間の領域に配置されることを特徴とする請求項１乃至５のいずれか１項に記載の照明装置。
【請求項７】
前記連通部の短手方向からみて、前記キセノン管の一端と他端の間の領域に前記発光制御コイルが配置されており、かつ、前記２つのキセノン端子は、前記２つの発光制御端子の間の領域に配置されることを特徴とする請求項１乃至５のいずれか１項に記載の照明装置。
【請求項８】
本体部と、前記本体部に対し移動可能なストロボ発光部と、前記本体部に設けられた発光制御部と、前記ストロボ発光部と前記発光制御部を電気的に接続するフレキシブル基板を有する照明装置であって、
前記フレキシブル基板は、
その一端にストロボ発光部と半田付される半田付部、
その他端に前記発光制御部と接続される接続部、及び、
前記半田付部と前記接続部とを繋ぐと共に、その短手方向に向かって絶縁テープが巻き付けられている連通部を有し、
前記絶縁テープは、前記連通部に巻き付けられた際に前記半田付部に延出する延出部を有することを特徴とする照明装置。
【請求項９】
前記絶縁テープの展開形状は、前記連通部を覆うための四角形状と、前記四角形状の一辺から延出する凸形状からなる前記延出部とで形成されることを特徴とする請求項８記載の照明装置。
【請求項１０】
前記フレキシブル基板は、前記ストロボ発光部が前記本体部に対し移動する時に屈曲動作をする屈曲部を、前記半田付部の領域に有し、前記絶縁テープの前記延出部は、前記屈曲部に貼り付けられることを特徴とする請求項８又は９記載の照明装置。
【請求項１１】
前記絶縁テープは、前記半田付部に延出する他の延出部を更に有し、前記延出部及び前記他の延出部は、それぞれ独立した凸形状として、前記絶縁テープに形成され、前記延出部及び前記他の延出部は、前記屈曲部における前記フレキシブル基板の表裏の一方の表面に順に貼り付けられることを特徴とする請求項１０記載の照明装置。
【請求項１２】
前記延出部及び前記他の延出部の前記半田付部への延出量を、前記フレキシブル基板に貼り付けられる順に段階的に小さくすることを特徴とする請求項１１記載の照明装置。
【請求項１３】
前記延出部及び前記他の延出部のうち少なくとも一部は、前記凸形状の角に切り欠き部を有し、
前記切り欠き部は、前記半田付部と前記連通部を連続的につなぐ接続形状を、前記絶縁テープを前記連通部に巻きつける際の組立軌跡上、避ける形状に形成されることを特徴とする請求項１１又は１２記載の照明装置。
【請求項１４】
請求項１乃至７のいずれか１項に記載の、前記半田付部、前記接続部、前記連通部、及び前記４つの配線を有することを特徴とするフレキシブル基板。
【請求項１５】
請求項８乃至１３のいずれか１項に記載の、前記半田付部、前記接続部、前記連通部、前記連通部に巻き付けられた際に前記半田付部に延出する前記延出部を有する前記絶縁テープ、及び前記４つの配線を有することを特徴とするフレキシブル基板。
【発明の詳細な説明】
【技術分野】
【０００１】
本発明は、照明装置及びそのフレキシブル基板に関し、特に、照明装置、及びその可動部間を繋ぐフレキシブル基板に関する。
【背景技術】
【０００２】
従来から、本体に対してストロボ発光部の相対的な位置が変更できるように構成された照明装置が知られている。この様な照明装置では、本体とストロボ発光部との間の必要な電気的な接続を行うために、本体側の電子部品とストロボ発光部側の電子部品を接続するフレキシブル基板が用いられている。ストロボ発光部の位置の変化に応じて、フレキシブル基板が所定の変形を行うことにより、照明装置本体とストロボ発光部との間の電気的な接続が維持される。
【０００３】
特許文献１には、本体とストロボ発光部をフレキシブル基板で電気的に接続する照明装置としてのストロボ内蔵カメラが開示されている。このストロボ内蔵カメラの本体には、回動可能なアーム、該アームに担持されたストロボ発光部、ストロボ発光部と接続するフレキシブル基板、本体制御回路と接続する本体内フレキシブル基板、及び該アームと一体に形成された床板が設けられる。また、該ストロボ発光部は、該アームが回動することにより収納位置から発光位置へ突出するように構成される。該ストロボ発光部と接続するフレキシブル基板は、該ストロボ発光部の内部の電気部品への給電及び信号伝送のため、該床板に設けられた第一の穴と該本体の外周部に設けられた第二の穴を通って該本体の本体内フレキシブル基板に接続される。また、該フレキシブル基板は収納位置にある場合に該本体の内部でたるみを以て配置されている。
【先行技術文献】
【特許文献】
【０００４】
【特許文献１】特開平８−１８４８８３号公報
【発明の概要】
【発明が解決しようとする課題】
【０００５】
しかしながら、特許文献１では、該アームが回動によりフレキシブル基板に所定の変形が繰り返し加えられることによりフレキシブル基板の両端に配線されているパターンに微小なクラックが発生する点が考慮されていない。かかる微小なクラックの発生のみでは、照明装置本体とストロボ発光部との間の必要な電気的な接続に問題はないが、従来のフレキシブル基板の両端に配置される比較的大きな電流が流れるパターンの温度上昇が原因となってそのクラックが進展する場合がある。そのような場合、フレキシブル基板上のパターンが断線し、照明装置本体とストロボ発光部との間の必要な電気的な接続に不具合が発生し、ストロボが発光しなくなるという問題が生じる。
【０００６】
すなわち、特許文献１は、ストロボ発光部が発光位置へ突出した時に、フレキシブル基板に設けたたるみが吸収されてその過緊張を抑える構成を備えているにすぎず、かかる微小なクラックの進展やその発生そのものを防止するような構成は備えていない。
【０００７】
そこで、本発明は、フレキシブル基板に発生する微小なクラックの進展又は微小なクラックの発生そのものを防止することができる照明装置及びそのフレキシブル基板を提供することを目的とする。
【課題を解決するための手段】
【０００８】
本発明の請求項１に係る照明装置は、本体部と、前記本体部に対し移動可能なストロボ発光部と、前記本体部に設けられた発光制御部と、前記ストロボ発光部と前記発光制御部を電気的に接続するフレキシブル基板を有する照明装置であって、前記ストロボ発光部はキセノン管と発光制御コイルを有し、前記フレキシブル基板は、その一端にストロボ発光部と半田付される半田付部、その他端に前記発光制御部と接続される接続部、前記半田付部と前記接続部とを繋ぐ連通部、及び、前記連通部においてその長手方向に配される４つの配線を有し、前記ストロボ発光部は、前記キセノン管の両端にそれぞれ接続される２つのキセノン端子、及び、前記発光制御コイルにそれぞれ接続される２つの発光制御端子が配置され、前記４つの配線は、前記半田付部において、前記２つのキセノン端子及び前記２つの発光制御端子のうち、それぞれ異なる端子に半田付によって電気的に接続され、前記連通部において、前記４つの配線のうち、前記２つの発光制御端子のそれぞれ異なる端子に電気的に接続された２本の第１の配線の間に、前記４つの配線のうち、前記２本のキセノン端子のそれぞれ異なる端子に電気的に接続された２本の第２の配線が配置されていることを特徴とする。
【０００９】
本発明の請求項８に係る照明装置は、本体部と、前記本体部に対し移動可能なストロボ発光部と、前記本体部に設けられた発光制御部と、前記ストロボ発光部と前記発光制御部を電気的に接続するフレキシブル基板を有する照明装置であって、前記フレキシブル基板は、その一端にストロボ発光部と半田付される半田付部、その他端に前記発光制御部と接続される接続部、及び、前記半田付部と前記接続部とを繋ぐと共に、その短手方向に向かって絶縁テープが巻き付けられている連通部を有し、前記絶縁テープは、前記連通部に巻き付けられた際に前記半田付部に延出する延出部を有することを特徴とする。
【００１０】
本発明の請求項１４に係るフレキシブル基板は、本発明の請求項１記載の、前記半田付部、前記接続部、前記連通部、及び前記４つの配線を有することを特徴とすることを特徴とする。
【００１１】
本発明の請求項１５に係るフレキシブル基板は、本発明の請求項８記載の、前記半田付部、前記接続部、前記連通部、前記連通部に巻き付けられた際に前記半田付部に延出する前記延出部を有する前記絶縁テープ、及び前記４つの配線を有することを特徴とする。
【発明の効果】
【００１２】
本発明によれば、フレキシブル基板に発生する微小なクラックの進展又は微小なクラックの発生そのものを防止することができる。
【図面の簡単な説明】
【００１３】
【図１】本発明の第１の実施形態に係る照明装置としてのデジタルカメラの背面斜視図である。
【図２】図１におけるストロボ発光部を含むストロボ発光部ユニットの断面図である。
【図３】ストロボ発光部ユニットに図１におけるフレキシブル基板を半田で半田付けした状態の背面図及び断面図である。
【図４】ストロボ発光部とフレキシブル基板を説明するための図である。
【図５】フレキシブル基板の半田付部周辺のパターンの模式図である。
【図６】絶縁テープに延出部が無い場合及びある場合の夫々の、ストロボ発光部のフレネルカバー、フレキシブル基板、及び絶縁テープの組立後の側面図である。
【図７】本発明の第２の実施形態に係る絶縁テープを説明するための図である。
【発明を実施するための形態】
【００１４】
（第１の実施形態）
以下、図面を参照して、本発明の第１の実施形態を説明する。
【００１５】
図１は、本実施形態に係る照明装置としてのデジタルカメラ１の背面斜視図である。具体的には、図１（ａ）はストロボ発光部６が格納状態である場合のデジタルカメラ１の背面斜視図であり、図１（ｂ）はストロボ発光部６が突出状態である場合のデジタルカメラ１の背面斜視図である。
【００１６】
図１（ａ）に示すように、デジタルカメラ１の本体部２８の上面には、ユーザがデジタルカメラ１を操作するための操作部材である電源スイッチ２、モードダイヤル３、露出補正ダイヤル４、シャッタースイッチ５が配置される。また、ストロボ発光部６が配置されている。
【００１７】
デジタルカメラ１の本体部２８の背面には、表示パネル７が設けられており、デジタルカメラ１を操作するための操作部材も複数配置されている。
【００１８】
デジタルカメラ１は、本体部２８の正面に、撮影レンズ８を備えている。デジタルカメラ１は、撮影レンズ８を通過した被写体像をその内部の不図示の撮像素子上に結像させ、結像させた像を電気信号に変換し、電気信号を同じくその内部の不図示のシステム回路で処理することにより表示パネル７に被写体像が表示される。
【００１９】
図１（ｂ）は、ストロボ発光部６を本体部２８から突出位置に突出させた状態の背面斜視図である。
【００２０】
デジタルカメラ１が備えているストロボ発光部６は、図１（ａ）に示す様な本体部２８内への格納状態と、図１（ｂ）に示す様な本体部２８からの突出状態の、二つの状態をとることが出来る様に構成されている。ストロボ発光部６の格納状態において、デジタルカメラ１の、図１（ｂ）向かって左側面にある解除レバー９を操作すると、ストロボ発光部６の不図示のロックが解除される。この解除により、ストロボ発光部６は後述する旋回アーム１０と付勢バネ１１、付勢バネ２７（図２参照）により突出位置に移動し、その状態が付勢バネ１１、付勢バネ２７の作用により維持される。突出位置にストロボ発光部６が移動することで、ストロボ発光部６のフレネルカバー１３（図２参照）が本体部２８から露出しストロボ光を被写体に届けることができる。
【００２１】
図２（ａ）は、ストロボ発光部６が格納状態である場合のストロボ発光部ユニット１０２の断面図で、図２（ｂ）は、ストロボ発光部６が突出状態である場合のストロボ発光部ユニット１０２の断面図である。また図３（ａ）は、ストロボ発光部ユニット１０２にフレキシブル基板２１を半田１０７で半田付けした状態の背面図である。図３（ｂ）は、図３（ａ）の断面Ａ‐Ａ部を示した断面図である。
【００２２】
ストロボ発光部６は、ストロボ発光部ユニット１０２の内部に配置される。ストロボ発光部ユニット１０２は、デジタルカメラ１の正面側にフレネルレンズが形成されたフレネルカバー１３、キセノン管１４、リフレクター１５、トリガーコイル（発光制御コイル）１６、ストロボ発光部ベース１０３を備える。ストロボ発光部ベース１０３の背面側には、キセノン管１４につながるキセノン端子１７と、トリガーコイル１６のトリガー入力端子１８（発光制御端子）が接続端子として突出している。また、トリガーコイル１６からはトリガー出力端子１０８（図３（ｂ））が突出しており、トリガー出力端子１０８はリフレクター１５に接触している。
【００２３】
図３（ｂ）に示される様に、キセノン管１４は図３（ｂ）中の左右方向に細長い形状を有しており、トリガーコイル１６は、キセノン管１４の長手方向におけるキセノン管１４の中心付近後方に配置されている。そして、２つのキセノン端子１７はそれぞれキセノン管１４の長手方向の両端に接続され、２つのトリガー入力端子１８は、トリガーコイル１６に接続されている。ストロボ発光部ユニット１０２は、上記の様に構成されているので、２つのトリガー入力端子１８は、連通部１０６（図４参照）の短手方向からみて、２つのキセノン端子１７の間に配置される。
【００２４】
デジタルカメラ１の本体部２８に固定されたベース１９（図２（ｂ））にはストロボ発光を制御するためのストロボ基板２０（発光制御部）が設置される。このストロボ基板２０と、キセノン端子１７及びトリガー入力端子１８との電気的な接続にはフレキシブル基板２１が用いられる。キセノン端子１７、トリガー入力端子１８、及びフレキシブル基板２１の一端にある半田付部１０４に配置された半田接続用ランド２２（図４、図５参照）は半田１０７で半田接続される。また、フレキシブル基板２１の他端にあるコネクタ接続部１０５は、ストロボ基板２０とコネクタ２３を介して接続される。
【００２５】
ストロボ発光部ユニット１０２の旋回アーム１０は回動自在に軸Ｘで軸支され、付勢バネ１１の付勢力でベース１９と旋回アーム１０は互いに開方向に付勢されている。ストロボ発光部６と旋回アーム１０は回動自在に軸Ｙで軸支され、付勢バネ２７の付勢力でストロボ発光部６と旋回アーム１０は互いに開方向に付勢されている。すなわち、ストロボ発光部６は旋回アーム１０経由でデジタルカメラ１の本体部２８と２軸（軸Ｘと軸Ｙ）で軸支され、図２（ｂ）に示す突出位置に付勢されている。かかる付勢がされたストロボ発光部６の上面を付勢バネ１１、付勢バネ２７の付勢力に抗するように手で押し込むと、軸Ｘ，Ｙは付勢バネ１１、付勢バネ２７の付勢力と逆方向に回動し、ストロボ発光部６がデジタルカメラ１の本体部２８内に格納される。その後、ストロボ発光部６は図２（ａ）の格納位置でロックされる。
【００２６】
旋回アーム１０には化粧カバー２４が取り付けられており、旋回アーム１０と化粧カバー２４との間の領域にフレキシブル基板２１は配置される。また、ストロボ発光部ユニット１０２を保持するストロボホルダ２５には、化粧カバー２４と連なるようにリブ２５ａが形成される。
【００２７】
化粧カバー２４と、ストロボホルダ２５のリブ２５ａにより、撮影者が不意にフレキシブル基板２１に触れて変形させたり切ったりしないような構成となっている。
【００２８】
また、軸Ｙとリブ２５ａの間にはフレキシブル基板２１が動きを阻害されないための十分な隙間がある。ストロボ発光部６が格納状態から突出状態、または突出状態から格納状態に遷移する際に、フレキシブル基板２１はその隙間内でデジタルカメラ１の前後方向に移動する。一方、フレキシブル基板２１は半田付部１０４（図４（ａ））で半田接続により固定されているため、半田付部１０４とフレキシブル基板２１のデジタルカメラ１の前後方向に移動する部分との間の領域である屈曲部２１ａに繰り返し曲げ応力が働く。すなわち、図２（ａ）、図４（ａ）に示す様に、フレキシブル基板２１が格納状態又は収納状態へ遷移する際に、屈曲部２１ａは屈曲動作をする。
【００２９】
図４（ａ）は、背面側から見たストロボ発光部６とフレキシブル基板２１の分解斜視図であり、図４（ｂ）は、正面側から見たストロボ発光部６とフレキシブル基板２１の分解斜視図である。また、図４（ｃ）はキセノン端子１７及びトリガー入力端子１８がフレキシブル基板２１に半田付部１０４にて半田付けされた組み込み状態を示した斜視図である。
【００３０】
図４に示される様に、フレキシブル基板２１は半田接続用ランド２２（図５）が配置される半田付部１０４とコネクタ２３（図２（ｂ））に接続されるコネクタ接続部１０５を有している。また、フレキシブル基板２１は半田付部１０４とコネクタ接続部１０５との間に連通部１０６を有している。即ち、フレキシブル基板２１は、半田付部１０４、コネクタ接続部１０５、連通部１０６という３つの領域より構成されている。半田付部１０４には半田付部１０４の強度を向上させ、半田付の作業性を向上させるために、板状の補強板１００（図４（ｂ）：補強部材）が貼られている。
【００３１】
図５は、フレキシブル基板２１の半田付部１０４周辺のパターンの模式図である。
【００３２】
図５中、キセノン配線２１ｂは、キセノン端子１７と接続される半田接続用ランド２２に繋がる配線であり、フレキシブル基板２１上の長手方向に２本設けられる。また、トリガー配線２１ｃは、トリガー入力端子１８と接続される半田接続用ランド２２に繋がる配線であり、キセノン配線２１ｂと同様に、フレキシブル基板２１上の長手方向に夫々２本設けられる。また、破線１０１は、補強板１００の連通部１０６に面する境界を模式的に示す線である。
【００３３】
キセノン配線２１ｂ及びトリガー配線２１ｃは、本実施形態では銅で形成されている。また、キセノン配線２１ｂ及びトリガー配線２１ｃは、不図示のカバーレイフィルムで覆われており、カバーレイフィルムを除去して露出させ半田接続を可能な様にした図５に示す４箇所が半田接続用ランド２２を構成する。
【００３４】
前述した様に、２つのトリガー入力端子１８は２つのキセノン端子１７の間に配置されている。従って、半田接続用ランド２２から連通部１０６に向かってパターンの配線長が短くなる様にキセノン配線２１ｂとトリガー配線２１ｃを形成すれば、破線１０１を通過する際に、２つのトリガー配線２１ｃは２つのキセノン配線２１ｂの間に配置される。しかし、本実施形態では、破線１０１を通過する際に、２つのキセノン配線２１ｂが２つのトリガー配線２１ｃの間に配置される様に、フレキシブル基板２１の補強板１００（図４（ｂ））が貼り付けられている領域内で、配線の入れ替えが行われている。そして、連通部１０６の全域において、２つのキセノン配線２１ｂが２つのトリガー配線２１ｃの間に配置される。
【００３５】
また、フレキシブル基板２１の外形には、半田付部１０４と連通部１０６を連続的につなぐ接続形状２１ｅ，２１ｆがある。接続形状２１ｅ，２１ｆにより半田付部１０４から連通部１０６にかけてフレキシブル基板２１の幅は連続的に変化する。
【００３６】
本体部２８の不図示のシステム回路からストロボの発光指示をストロボ基板２０（図２（ｂ））が受けると、トリガー電圧発生用の電流がストロボ基板２０に実装された素子からコネクタ２３を介してフレキシブル基板２１内のトリガー配線２１ｃを流れる。この電流がトリガー入力端子１８を介してトリガーコイル１６に供給されると、トリガーコイル１６は瞬間的に高電圧であるトリガー電圧を発生する。このトリガー電圧は、トリガー出力端子１０８（図３（ｂ））に接続されたリフレクター１５に伝わる。トリガー電圧がリフレクター１５に印可されるとキセノン管１４内のキセノンガスがイオン化され、キセノン管１４内の抵抗値が急激に低下する。ストロボ基板２０に接続された不図示のメインコンデンサに蓄積された電荷が、フレキシブル基板２１内のキセノン配線２１ｂを介して、キセノン管１４の両端に印可された状態で、前述の抵抗値の急激な低下が起こると、大電流がキセノン管１４に流れる。この結果、キセノン管１４が発光する。その際、キセノン配線２１ｂには大電流が流れる。この一連のストロボ発光動作の中で、トリガー配線２１ｃを流れる電流よりもキセノン配線２１ｂを流れる電流は大きい。従って、図５に示されるように、トリガー配線２１ｃのパターン幅よりも、キセノン配線２１ｂのパターン幅の方が大きくなる様に構成されている。
【００３７】
ところで、ストロボ発光部６の格納状態と突出状態の繰り返し動作の過程において、フレキシブル基板２１は変形を繰り返すので、変形の際の応力が集中しやすい両端のパターン（本実施形態ではトリガー配線２１ｃ）に微小なクラックが発生する場合がある。そして、微小なクラックはパターンの温度上昇により進展し、パターンの完全な断線に至る場合がある。パターンの温度上昇はパターンを大電流が流れた際に起こるので、クラックが発生した場合の進展の可能性は、より大電流が流れるキセノン配線２１ｂの方がトリガー配線２１ｃよりも高い。
【００３８】
以上本実施形態では、ストロボ発光部６の格納状態と突出状態の繰り返し動作の際に変形が生じる連通部１０６の全域において、大電流が流れる２つのキセノン配線２１ｂをクラックが発生しやすい両端ではなく、２つのトリガー配線２１ｃの間に配置する。これにより、クラックの進展による断線の可能性を低減することが可能となっている。
【００３９】
以上、配線のクラックの進展による断線の可能性を低減するための構成を説明したが、そもそものクラックの発生の可能性を低減することも、断線の可能性低減に効果的である。以下、本実施形態における配線のクラックの発生の可能性を低減する構成について説明を行う。
【００４０】
図４（ｃ）に示される様に、フレキシブル基板２１の連通部１０６を覆うように図４（ａ）のような展開形状を有する絶縁テープ２６が巻きつけられている。フレキシブル基板２１の補強と、必要な耐圧性能を確保するために、絶縁テープ２６の四角形状の部分がフレキシブル基板２１の連通部１０６に二重に巻き付けられている。
【００４１】
絶縁テープ２６は、上記四角形状の一辺から延出する凸形状である延出部２６ａ（図４（ａ））を有し、延出部２６ａは、フレキシブル基板２１の屈曲部２１ａを覆うように貼り付けられる。すなわち。図４（ｃ）に示す様に、絶縁テープ２６がフレキシブル基板２１に巻き付けられた状態では、延出部２６ａはフレキシブル基板２１の連通部１０６から半田付部１０４へはみ出すように貼り付けられている。
【００４２】
先述したように、半田１０７とフレキシブル基板２１のデジタルカメラ１の前後方向に移動する部分との間の領域である屈曲部２１ａに繰り返し曲げ応力が働き、フレキシブル基板２１のパターンにクラックが発生する虞がある。そこで、図４（ａ），（ｂ），（ｃ）に示すように屈曲部２１ａに絶縁テープ２６の延出部２６ａを貼り付けることで、フレキシブル基板２１のパターンにクラックが発生する可能性を低減出来る。詳細については図６を用いて後述する。
【００４３】
図６（ａ）は、絶縁テープ２６に延出部２６ａが無い場合の、ストロボ発光部６のフレネルカバー１３、フレキシブル基板２１、及び絶縁テープ２６の組立後の側面図である。また、図６（ｂ）は、絶縁テープ２６に延出部２６ａが有る場合の、ストロボ発光部６のフレネルカバー１３、フレキシブル基板２１、及び絶縁テープ２６の組立後の側面図である。
【００４４】
フレキシブル基板２１は、図４（ｃ）にも示す様な、曲がっていない状態で絶縁テープ２６が貼り付けられた後、組み立てられて、図６（ａ）の状態となる。
【００４５】
フレキシブル基板２１は、ストロボ発光部６が格納状態から突出状態、または突出状態から格納状態に遷移する際に、半田１０７とフレキシブル基板２１のデジタルカメラ１の前後方向に移動する部分との間の領域である屈曲部２１ａに繰り返し曲げ応力が働く。
【００４６】
詳細に述べると、図６（ａ）に示すように、絶縁テープ２６に延出部２６ａが無い場合、フレキシブル基板２１の連通部１０６のみに対して二重に絶縁テープ２６が巻き付けられる。一方、屈曲部２１ａについては、フレキシブル基板２１が両面露出した状態となる。よって、絶縁テープ２６が巻き付けられる連通部１０６と屈曲部２１ａとの境界である境界部２１ｇは曲げ硬さが大きく変動し、局所的な曲げ応力が集中する。
【００４７】
一方、図６（ｂ）に示す本実施形態では、フレキシブル基板２１の連通部１０６に対して二重に絶縁テープ２６が巻き付けられると共に、境界部２１ｇを覆うように絶縁テープ２６の延出部２６ａが貼り付けられている。よって、境界部２１ｇにおける曲げ硬さの変化量が、延出部２６ａが無い場合より縮小し、境界部２１ｇにかかる局所的な曲げ応力は緩和される。
【００４８】
以上説明した様に、本実施形態では絶縁テープ２６に延出部２６ａを設け、屈曲部２１ａに重なるように延出部２６ａを貼り付ける。これにより、境界部２１ｇにかかる局所的なストレスが緩和され、フレキシブル基板２１のパターンにクラックが発生する可能性を低減出来る。
【００４９】
（第２の実施形態）
以下、本発明の第２の実施形態について図面を参照しながら説明する。本実施形態に係るデジタルカメラ１は第１の実施形態に係るデジタルカメラ１と同様の構成をとる。よって以下、第１の実施形態と同一の構成には同一の符号を付し、重複した説明を省略する。
【００５０】
本実施形態に係るストロボ発光部ユニット１０２も、図２（ａ），（ｂ）に示す第１の実施形態に係るストロボ発光部ユニット１０２と同様に、ストロボ発光部６は格納状態と突出状態の２つの状態を遷移する。
【００５１】
本実施形態は、絶縁テープ２６に複数の延出部２６ａ〜２６ｃがあり、その複数の延出部２６ａ〜２６ｃの長さが段階的に変化し、且つその一部が斜めに切り欠かれている切り欠き部２６ｄ，２６ｅ（図７参照）を有する点で第１の実施形態と異なる。
【００５２】
図７（ａ）は、本発明の第２の実施形態に係る絶縁テープ２６の正面図、図７（ｂ）は、絶縁テープ２６をフレキシブル基板２１に貼り付けた状態の正面図、図７（ｃ）は、絶縁テープ２６をフレキシブル基板２１に貼り付けた状態の断面図を示す。
【００５３】
図７（ａ）に示される様に、絶縁テープ２６は夫々独立した凸形状である、３つの延出部２６ａ〜２６ｃを有し、その順にフレキシブル基板２１に貼り付けられる。また、絶縁テープ２６からの延出量は、延出部２６ａが最も大きく、延出部２６ｂ、延出部２６ｃの順に段階的に小さくなるように形成されている。また延出部２６ａと延出部２６ｂの間には間隔ｄ１、延出部２６ｂと延出部２６ｃの間には間隔ｄ２が設けられている。各間隔ｄ１，ｄ２の間には、図７（ａ）中に点線部で表現されているフレキシブル基板２１への巻き付け時に山折りされる箇所が存在する。そして延出部２６ｂ、延出部２６ｃの夫々の凸形状の角の１つは、斜めに切り欠かれている形状である切り欠き部２６ｄ、２６ｅとなっている。
【００５４】
図７（ｂ）に示される様に、フレキシブル基板２１に絶縁テープ２６が巻き付けられる際、延出部２６ａ〜２６ｃがフレキシブル基板２１の表裏の一方の表面に順に貼り付けられる。これにより、デジタルカメラ１の背面側には延出部２６ａと延出部２６ｃが貼りつけられ、デジタルカメラ１の表面側には延出部２６ｂが貼り付けられる。すなわち、延出部２６ａ〜２６ｃの半田付部１０４への延出量は、フレキシブル基板２１にこれらが貼り付けられる順に段階的に小さくなっている。また、延出部２６ｃの先述した切り欠き部２６ｅはフレキシブル基板２１の接続形状２１ｅを組立軌跡上避ける形状となっている。このため、絶縁テープ２６をフレキシブル基板２１に巻き付ける際に延出部２６ｃが接続形状２１ｅに不用意に貼りつくことがなく、組立性が向上する。
【００５５】
図７（ｂ）の不図示のフレキシブル基板２１の紙面裏側において、フレキシブル基板２１には延出部２６ｂが貼りつけられる。延出部２６ｂの先述した切り欠き部２６ｄはフレキシブル基板２１の接続形状２１ｆを組立軌跡上避ける形状となっている。このため、絶縁テープ２６をフレキシブル基板２１に巻き付ける際に延出部２６ｂが接続形状２１ｆに不用意に貼りつくことがなく、組立性が向上する。
【００５６】
図７（ｃ）に示す様に、フレキシブル基板２１の屈曲部２１ａに巻き付けられている絶縁テープ２６の枚数は、連通部１０６から半田１０７の方向に向かうにつれて、段階的に少なくなっていく。具体的には、連通部１０６から半田１０７の方向に向かうにつれて、その枚数は、５枚（絶縁テープ２６の連通部１０６に巻き付いてる部分）、３枚（延出部２６ａ〜２６ｃ）、２枚（延出部２６ａ，２６ｂ）、１枚（延出部２６ａ）と段階的に少なくなる。
【００５７】
以上により境界部２１ｇでの曲げ硬さの変化量は、第１の実施形態と比較して縮小するため、境界部２１ｇにかかる局所的な曲げ応力はより緩和する。更に、図７（ｃ）に示す様に、屈曲部２１ａにおいて、絶縁テープ２６の重なりが少なくなる境界部２１ｈ、境界部２１ｉ、境界部２１ｊの曲げ硬さの変化量も、第１の実施形態と比較して縮小する。このため、フレキシブル基板２１のパターンにクラックが発生する可能性をさらに低減出来る。
【００５８】
（その他の実施形態）
第１及び第２実施形態では、連通部１０６の短手方向からみて、２つのトリガー入力端子１８は２つのキセノン端子１７の間に配置される一方、連通部１０６の全域で２つのキセノン配線２１ｂを２つのトリガー配線２１ｃの間に配置する必要がある。このため、フレキシブル基板２１の補強板１００が貼り付けられている領域内で、配線の入れ替えを行っている。但し、連通部１０６の全域で２つのキセノン配線２１ｂが２つのトリガー配線２１ｃの間に配置される構成であれば、第１及び第２実施形態のような配線に限定されない。例えば、連通部１０６の短手方向からみて、２つのキセノン端子１７が２つのトリガー入力端子１８の間に配置される様に、ストロボ発光部ユニット１０２を構成しても良い。この場合、フレキシブル基板２１での配線の入れ替えが不要となるので、フレキシブル基板２１を小型化出来る。
【００５９】
また、上記第１及び第２の実施形態ではスルーホールを有しないフレキシブル基板２１を例示したが、スルーホールを有する２層以上の配線層を備えたフレキシブル基板であっても良い。
【００６０】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記第１及び第２の実施形態は、デジタルカメラ１の本体部２８に対してストロボ発光部６が移動可能であったが、本体部２８はストロボ制御ができれば撮像機能を有さなくてもよい。また、上述した各実施形態は本発明の一実施形態を示すものにすぎず、各実施形態を適宜組み合わせることも可能である。
【符号の説明】
【００６１】
１  デジタルカメラ
６  ストロボ発光部
１４  キセノン管
１６  トリガーコイル
１７  キセノン端子
１８  トリガー入力端子
２０  ストロボ基板
２１  フレキシブル基板
２１ａ  屈曲部
２１ｂ  キセノン配線
２１ｃ  トリガー配線
２１ｅ，２１ｆ  接続形状
２６  絶縁テープ
２６ａ〜２６ｃ  延出部
２６ｄ，２６ｅ  切り欠き部
２８  本体部
１００  補強板
１０１  補強板の境界を示す破線
１０２  ストロボ発光部ユニット
１０４  半田付部
１０５  コネクタ接続部
１０６  連通部
【図１】
2020112658.tif 000003
【図２】
2020112658.tif 000004
【図３】
2020112658.tif 000005
【図４】
2020112658.tif 000006
【図５】
2020112658.tif 000007
【図６】
2020112658.tif 000008
【図７】
2020112658.tif 000009
【手続補正書】
【提出日】令和1年12月17日(2019.12.17)
【手続補正１】
【補正対象書類名】明細書
【補正対象項目名】００１０
【補正方法】変更
【補正の内容】
【００１０】
本発明の請求項１４に係るフレキシブル基板は、その一端にストロボ発光部と半田付される半田付部と、その他端に前記発光制御部と接続される接続部と、前記半田付部と前記接続部とを繋ぐ連通部と、前記連通部においてその長手方向に配される４つの配線とを有し、前記４つの配線は、前記半田付部において、２つのキセノン端子及び２つの発光制御端子のうち、それぞれ異なる端子に半田付によって電気的に接続され、前記連通部において、前記４つの配線のうち、前記２つの発光制御端子のそれぞれ異なる端子に電気的に接続された２本の第１の配線の間に、前記４つの配線のうち、前記２本のキセノン端子のそれぞれ異なる端子に電気的に接続された２本の第２の配線が配置されていることを特徴とする。
【手続補正２】
【補正対象書類名】明細書
【補正対象項目名】００１１
【補正方法】変更
【補正の内容】
【００１１】
本発明の請求項１５に係るフレキシブル基板は、その一端にストロボ発光部と半田付される半田付部と、その他端に前記発光制御部と接続される接続部と、前記半田付部と前記接続部とを繋ぐと共に、その短手方向に向かって絶縁テープが巻き付けられている連通部とを有し、前記絶縁テープは、前記連通部に巻き付けられた際に前記半田付部に延出する前記延出部を有することを特徴とする。
【手続補正３】
【補正対象書類名】特許請求の範囲
【補正対象項目名】全文
【補正方法】変更
【補正の内容】
【特許請求の範囲】
【請求項１】
本体部と、前記本体部に対し移動可能なストロボ発光部と、前記本体部に設けられた発光制御部と、前記ストロボ発光部と前記発光制御部を電気的に接続するフレキシブル基板を有する照明装置であって、
前記ストロボ発光部はキセノン管と発光制御コイルを有し、
前記フレキシブル基板は、
その一端にストロボ発光部と半田付される半田付部、
その他端に前記発光制御部と接続される接続部、
前記半田付部と前記接続部とを繋ぐ連通部、及び、
前記連通部においてその長手方向に配される４つの配線を有し、
前記ストロボ発光部は、
前記キセノン管の両端にそれぞれ接続される２つのキセノン端子、及び、
前記発光制御コイルにそれぞれ接続される２つの発光制御端子が配置され、
前記４つの配線は、前記半田付部において、前記２つのキセノン端子及び前記２つの発光制御端子のうち、それぞれ異なる端子に半田付によって電気的に接続され、
前記連通部において、前記４つの配線のうち、前記２つの発光制御端子のそれぞれ異なる端子に電気的に接続された２本の第１の配線の間に、前記４つの配線のうち、前記２本のキセノン端子のそれぞれ異なる端子に電気的に接続された２本の第２の配線が配置されていることを特徴とする照明装置。
【請求項２】
前記連通部は、前記本体部に対し前記ストロボ発光部が移動する過程において、変形する部分であることを特徴とする請求項１記載の照明装置。
【請求項３】
前記半田付部には板状の補強部材が貼られており、
前記補強部材の前記連通部に面する境界において、前記２つの第１の配線の間に、前記２つの第２の配線が配置されていることを特徴とする請求項１又は２記載の照明装置。
【請求項４】
前記２つの第１の配線を流れる電流の大きさは、前記２つの第２の配線を流れる電流の大きさよりも小さいことを特徴とする請求項１乃至３のいずれか１項に記載の照明装置。
【請求項５】
前記２つの第１の配線の幅は、前記２つの第２の配線の幅よりも小さいことを特徴とする請求項１乃至４のいずれか１項に記載の照明装置。
【請求項６】
前記連通部の短手方向からみて、前記２つの発光制御端子は、前記２つのキセノン端子の間の領域に配置されることを特徴とする請求項１乃至５のいずれか１項に記載の照明装置。
【請求項７】
前記連通部の短手方向からみて、前記キセノン管の一端と他端の間の領域に前記発光制御コイルが配置されており、かつ、前記２つのキセノン端子は、前記２つの発光制御端子の間の領域に配置されることを特徴とする請求項１乃至５のいずれか１項に記載の照明装置。
【請求項８】
本体部と、前記本体部に対し移動可能なストロボ発光部と、前記本体部に設けられた発光制御部と、前記ストロボ発光部と前記発光制御部を電気的に接続するフレキシブル基板を有する照明装置であって、
前記フレキシブル基板は、
その一端にストロボ発光部と半田付される半田付部、
その他端に前記発光制御部と接続される接続部、及び、
前記半田付部と前記接続部とを繋ぐと共に、その短手方向に向かって絶縁テープが巻き付けられている連通部を有し、
前記絶縁テープは、前記連通部に巻き付けられた際に前記半田付部に延出する延出部を有することを特徴とする照明装置。
【請求項９】
前記絶縁テープの展開形状は、前記連通部を覆うための四角形状と、前記四角形状の一辺から延出する凸形状からなる前記延出部とで形成されることを特徴とする請求項８記載の照明装置。
【請求項１０】
前記フレキシブル基板は、前記ストロボ発光部が前記本体部に対し移動する時に屈曲動作をする屈曲部を、前記半田付部の領域に有し、前記絶縁テープの前記延出部は、前記屈曲部に貼り付けられることを特徴とする請求項８又は９記載の照明装置。
【請求項１１】
前記絶縁テープは、前記半田付部に延出する他の延出部を更に有し、前記延出部及び前記他の延出部は、それぞれ独立した凸形状として、前記絶縁テープに形成され、前記延出部及び前記他の延出部は、前記屈曲部における前記フレキシブル基板の表裏の一方の表面に順に貼り付けられることを特徴とする請求項１０記載の照明装置。
【請求項１２】
前記延出部及び前記他の延出部の前記半田付部への延出量を、前記フレキシブル基板に貼り付けられる順に段階的に小さくすることを特徴とする請求項１１記載の照明装置。
【請求項１３】
前記延出部及び前記他の延出部のうち少なくとも一部は、前記凸形状の角に切り欠き部を有し、
前記切り欠き部は、前記半田付部と前記連通部を連続的につなぐ接続形状を、前記絶縁テープを前記連通部に巻きつける際の組立軌跡上、避ける形状に形成されることを特徴とする請求項１１又は１２記載の照明装置。
【請求項１４】
その一端にストロボ発光部と半田付される半田付部と、
その他端に前記発光制御部と接続される接続部と、
前記半田付部と前記接続部とを繋ぐ連通部と、
前記連通部においてその長手方向に配される４つの配線とを有し、
前記４つの配線は、前記半田付部において、２つのキセノン端子及び２つの発光制御端子のうち、それぞれ異なる端子に半田付によって電気的に接続され、
前記連通部において、前記４つの配線のうち、前記２つの発光制御端子のそれぞれ異なる端子に電気的に接続された２本の第１の配線の間に、前記４つの配線のうち、前記２本のキセノン端子のそれぞれ異なる端子に電気的に接続された２本の第２の配線が配置されていることを特徴とするフレキシブル基板。
【請求項１５】
その一端にストロボ発光部と半田付される半田付部と、
その他端に前記発光制御部と接続される接続部と、
前記半田付部と前記接続部とを繋ぐと共に、その短手方向に向かって絶縁テープが巻き付けられている連通部とを有し、
前記絶縁テープは、前記連通部に巻き付けられた際に前記半田付部に延出する前記延出部を有することを特徴とするフレキシブル基板。